(57)【特許請求の範囲】
【請求項１】
無線受信装置であって、
第一機器および第二機器から、それぞれが有するアンテナを介して送信される信号を受信する受信装置側アンテナと、
前記第一機器が有する第一アンテナおよび前記第二機器が有する第二アンテナの、前記受信装置側アンテナの位置を基準とした相対的な位置関係を示す情報を検出する検出部と、
前記第一機器および前記第二機器の一方から他方への映像信号または音声信号の伝送が可能であるか否かを示す通信状態情報を前記第一機器または前記第二機器から取得する通信状態取得部と、
前記通信状態取得部により取得された通信状態情報が、前記伝送が可能ではないことを示す場合、前記検出部による検出結果に基づいて、前記第一アンテナの向きの変更方向を示す変更情報であって、前記第一アンテナからの前記映像信号または前記音声信号の伝送が可能な範囲である伝送可能範囲が前記第二アンテナに近づく方向を示す変更情報を生成して出力する変更情報生成部と
を備える無線受信装置。
【請求項２】
さらに、前記変更情報生成部から出力された前記変更情報に示される前記変更方向を示す映像を表示する映像表示部を備える
請求項１記載の無線受信装置。
【請求項３】
前記映像表示部は、前記変更方向を示す映像とともに、前記第一機器または前記第二機器から送信され、前記受信装置側アンテナにより受信された映像信号に示される映像を表示する
請求項２記載の無線受信装置。
【請求項４】
前記第一アンテナは、前記変更情報に従って駆動する回転駆動部により回転可能に支持されており、
前記変更情報生成部は、前記第一アンテナの向きの変更方向を示す前記変更情報を生成し、生成した前記変更情報を前記回転駆動部に出力することで、前記第一アンテナを前記変更方向に回転させる
請求項１記載の無線受信装置。
【請求項５】
前記検出部は、前記第一機器から送信される信号の前記受信装置側アンテナに対する第一入射角および前記第二機器から送信される信号の前記受信装置側アンテナに対する第二入射角を、前記相対的な位置関係を示す情報として検出し、
前記変更情報生成部は、前記第一入射角および前記第二入射角の大小関係から前記第一アンテナおよび前記第二アンテナの相対的な位置関係を求め、当該位置関係に従って前記第一アンテナの向きの変更方向を示す前記変更情報を生成する
請求項１〜４のいずれか１項に記載の無線受信装置。
【請求項６】
前記検出部は、前記第一機器から送信される信号の前記受信装置側アンテナに対する第一入射角および前記第二機器から送信される信号の前記受信装置側アンテナに対する第二入射角を、前記相対的な位置関係を示す情報として検出し、
前記受信装置側アンテナは、前記第一入射角および前記第二入射角を示す情報を前記第一機器または前記第二機器に送信し、
前記変更情報生成部は、前記情報を受信した前記第一機器または前記第二機器が、前記第一入射角および前記第二入射角の大小関係から求めた前記第一アンテナおよび前記第二アンテナの相対的な位置関係に従って前記第一アンテナの向きの変更方向を示す前記変更情報を生成する
請求項１〜４のいずれか１項に記載の無線受信装置。
【請求項７】
前記通信状態取得部は、前記第一機器および前記第二機器の一方から他方への、ＷｉｒｅｌｅｓｓＨＤの規格に規定されるＨＲＰ（Ｈｉｇｈ−ｒａｔｅ  ｐｈｙｓｉｃａｌ  ｌａｙｅｒ）による映像信号または音声信号の伝送が可能であるか否かを示す通信状態情報を取得する
請求項１〜６のいずれか１項に記載の無線受信装置。
【請求項８】
前記通信状態取得部はさらに、前記伝送が可能であることを示す通信状態情報を取得するまで、前記伝送が可能であるか否かを示す通信状態情報の取得を繰り返し、
前記変更情報生成部はさらに、前記伝送が可能であることを示す通信状態情報が前記通信状態取得部によって取得されるまで、前記第一アンテナの伝送可能範囲が前記第二アンテナに近づく方向を示す変更情報の出力を繰り返す
請求項１〜７のいずれか１項に記載の無線受信装置。
【請求項９】
第一機器、第二機器、および無線受信装置を備える無線通信システムであって、
前記第一機器は、
前記第一機器と前記第二機器および前記無線受信装置のそれぞれとの間で信号の伝送をするための第一アンテナを有し、
前記第二機器は、
前記第二機器と前記第一機器および前記無線受信装置のそれぞれとの間で信号の伝送をするための第二アンテナを有し、
前記無線受信装置は、
第一機器および第二機器から、それぞれが有するアンテナを介して送信される信号を受信する受信装置側アンテナと、
前記第一アンテナおよび前記第二アンテナの、前記受信装置側アンテナの位置を基準とした相対的な位置関係を示す情報を検出する検出部と、
前記第一機器および前記第二機器の一方から他方への映像信号または音声信号の伝送が可能であるか否かを示す通信状態情報を前記第一機器または前記第二機器から取得する通信状態取得部と、
前記通信状態取得部により取得された通信状態情報が、前記伝送が可能ではないことを示す場合、前記検出部による検出結果に基づいて、前記第一アンテナの向きの変更方向を示す変更情報であって、前記第一アンテナからの前記映像信号または前記音声信号の伝送が可能な範囲である伝送可能範囲が前記第二アンテナに近づく方向を示す変更情報を生成して出力する変更情報生成部とを有する
無線通信システム。
【請求項１０】
無線受信装置が行うアンテナ設置支援方法であって、
前記無線受信装置は、第一機器および第二機器から、それぞれが有するアンテナを介して送信される信号を受信する受信装置側アンテナを備え、
前記アンテナ設置支援方法は、
前記第一機器が有する第一アンテナおよび前記第二機器が有する第二アンテナの、前記受信装置側アンテナの位置を基準とした相対的な位置関係を示す情報を検出する検出ステップと、
前記第一機器および前記第二機器の一方から他方への映像信号または音声信号の伝送が可能であるか否かを示す通信状態情報を前記第一機器または前記第二機器から取得する通信状態取得ステップと、
前記通信状態取得ステップにおいて取得された通信状態情報が、前記伝送が可能ではないことを示す場合、前記検出ステップにおける検出結果に基づいて、前記第一アンテナの向きの変更方向を示す変更情報であって、前記第一アンテナからの前記映像信号または前記音声信号の伝送が可能な範囲である伝送可能範囲が前記第二アンテナに近づく方向を示す変更情報を生成して出力する変更情報生成ステップと
を含むアンテナ設置支援方法。
【発明の詳細な説明】
【技術分野】
【０００１】
本発明は、複数の機器間で映像信号等を非圧縮で無線伝送する際に、当該無線伝送に用いられるアンテナの設置を支援する無線受信装置に関する。
【背景技術】
【０００２】
ＡＶ機器間で非圧縮のベースバンド映像信号とデジタル音声信号とを無線伝送する標準規格であるＷｉＨＤ（ＷｉｒｅｌｅｓｓＨＤ（Ｈｉｇｈ  Ｄｉｆｉｎｉｔｉｏｎ））が策定されている。
【０００３】
ＷｉＨＤは、Ｂｌｕ−ｒａｙ  Ｄｉｓｃ（登録商標、以下「ＢＤ」と記載する。）レコーダ等のデジタルビデオレコーダ、ＳＴＢ（Ｓｅｔ−ｔｏｐ  ｂｏｘ）、およびパソコンなどに蓄えられたＨＤ動画データをケーブル接続することなくハイビジョンテレビなどで視聴するための技術仕様である。
【０００４】
また、ＷｉＨＤで送受信される信号には双方向の制御信号も含んでいる。そのため、テレビとデジタルビデオレコーダとを連動させるために、および、ホームシアターを構成する各機器の一元的な制御等のためにプロトコルが定義されている。
【０００５】
加えて、ＷｉＨＤによれば高品質のコンテンツの伝送が可能であるために、提供されるコンテンツが不正に再生されないように、また、違法にコピーされないように、コンテンツ保護方式としてＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）が定義されている。
【０００６】
また、ＷｉＨＤの通信モデルは、物理レイヤ、ＭＡＣ（ｍｅｄｉｕｍ  ａｃｃｅｓｓ  ｃｏｎｔｒｏｌ）サブレイヤ、アダプテーションサブレイヤの３つに機能的に区分されている。
【０００７】
これらのうち、物理レイヤとして、データ伝送の物理的な方式が２種類規定されている。具体的には、ＨＲＰ（Ｈｉｇｈ−ｒａｔｅ  ｐｈｙｓｉｃａｌ  ｌａｙｅｒ）、およびＬＲＰ（Ｌｏｗ−ｒａｔｅ  ｐｈｙｓｉｃａｌ  ｌａｙｅｒ）の２種類の物理レイヤが規定されている。
【０００８】
ＨＲＰは、３Ｇｂｐｓ以上の高速伝送が可能であり、主に高品位なコンテンツを非圧縮で伝送するために用いられ、周波数帯の特性上、指向性が高いという特徴がある。一方、ＬＲＰは、無指向の電波であり、主に機器間の制御信号および電波の経路情報等の伝送に用いられる。
【０００９】
このような特徴を有するＷｉＨＤの無線伝送方法について、例えば、特許文献１および非特許文献１に示されている。
【先行技術文献】
【特許文献】
【００１０】
【特許文献１】特表２００９−５０５５０７号公報
【非特許文献】
【００１１】
【非特許文献１】ＷｉｒｅｌｅｓｓＨＤ  Ｓｐｅｃｉｆｉｃａｔｉｏｎ  Ｖｅｒｓｉｏｎ  １．０  Ｏｖｅｒｖｉｅｗ、２００７年１０月９日
【発明の概要】
【発明が解決しようとする課題】
【００１２】
ここで、ＷｉＨＤにおけるＨＲＰは、上述のように指向性が高いため、映像・音声送信機（以下、単に「送信機」という。）のアンテナと、映像・音声受信機（以下、単に「受信機」という。）のアンテナとが、互いに他方を基準とする一定の範囲内に収まるように、それぞれのアンテナの向きを考慮しながら設置する必要がある。
【００１３】
また、例えば、送信機が、受信機としてのテレビに映像信号を送信し、かつ、ＡＶ（Ａｕｄｉｏ  Ｖｉｓｕａｌ）アンプに音声信号を送信する場合、送信機は、それぞれが受信機であるテレビおよびＡＶアンプに対して、ＨＲＰ信号を送信する。そのため、各受信機が、当該送信機からのＨＲＰ信号の伝送が可能な範囲である伝送可能範囲内に設置されている必要がある。
【００１４】
しかしながら、無線信号の進行方向をユーザが特定するのは困難であるため、これら複数の機器のアンテナを適切に設置するのは困難である。
【００１５】
本発明は、上記従来の課題を考慮し、無線受信装置と通信する２つの機器間の信号の伝送が可能なように、当該伝送に使用されるアンテナの設置を支援することのできる無線受信装置、無線通信システム、およびアンテナ設置支援方法を提供することを目的とする。
【課題を解決するための手段】
【００１６】
上記目的を達成するために、本発明の一態様に係る無線受信装置は、第一機器および第二機器から、それぞれが有するアンテナを介して送信される信号を受信する受信装置側アンテナと、前記第一機器が有する第一アンテナおよび前記第二機器が有する第二アンテナの、前記受信装置側アンテナの位置を基準とした相対的な位置関係を示す情報を検出する検出部と、前記第一機器および前記第二機器の一方から他方への映像信号または音声信号の伝送が可能であるか否かを示す通信状態情報を前記第一機器または前記第二機器から取得する通信状態取得部と、前記通信状態取得部により取得された通信状態情報が、前記伝送が可能ではないことを示す場合、前記検出部による検出結果に基づいて、前記第一アンテナの向きの変更方向を示す変更情報であって、前記第一アンテナからの前記映像信号または前記音声信号の伝送が可能な範囲である伝送可能範囲が前記第二アンテナに近づく方向を示す変更情報を生成して出力する変更情報生成部とを備える。
【００１７】
この構成によれば、例えば、無線受信装置であるテレビと、第一機器および第二機器である２台のＡＶ機器とを設置する場合、これら２台のＡＶ機器間で映像信号または音声信号の伝送が可能とさせる変更情報であって、少なくとも一方のＡＶ機器のアンテナの向きを変更させるための変更情報が無線受信装置から出力される。つまり、当該伝送に用いられるアンテナの設置を支援する情報が無線受信装置から出力される。
【００１８】
このように、本発明の無線受信装置によれば、２台の機器間における映像信号または音声信号の伝送に用いられるアンテナの設置を支援することができる。
【００１９】
また、本発明の一態様に係る無線受信装置はさらに、前記変更情報生成部から出力された前記変更情報に示される前記変更方向を示す映像を表示する映像表示部を備えるとしてもよい。
【００２０】
この構成により、変更方向を示す映像が、映像表示部に表示されるため、ユーザは、変更方向を容易に知ることができる。つまり、ユーザは、容易に第一アンテナの向きの調整をすることがきる。
【００２１】
また、本発明の一態様に係る無線受信装置において、前記映像表示部は、前記変更方向を示す映像とともに、前記第一機器または前記第二機器から送信され、前記受信装置側アンテナにより受信された映像信号に示される映像を表示するとしてもよい。
【００２２】
この構成により、本態様の無線受信装置を、例えば、第一機器から受信した映像を表示するテレビとして実現することができ、かつ、変更情報をオンスクリーン表示することができる。
【００２３】
また、本発明の一態様に係る無線受信装置において、前記第一アンテナは、前記変更情報に従って駆動する回転駆動部により回転可能に支持されており、前記変更情報生成部は、前記第一アンテナの向きの変更方向を示す前記変更情報を生成し、生成した前記変更情報を前記回転駆動部に出力することで、前記第一アンテナを前記変更方向に回転させるとしてもよい。
【００２４】
この構成により、第一アンテナは自動的に向きを変更し、その結果、第一機器および第二機器の一方から他方への映像信号または音声信号の伝送が可能となる。つまり、アンテナの方向調整の自動化が図られる。
【００２５】
また、本発明の一態様に係る無線受信装置において、前記検出部は、前記第一機器から送信される信号の前記表示装置側アンテナに対する第一入射角および前記第二機器から送信される信号の前記表示装置側アンテナに対する第二入射角を、前記相対的な位置関係を示す情報として検出し、前記変更情報生成部は、前記第一入射角および前記第二入射角の大小関係から前記第一アンテナおよび前記第二アンテナの相対的な位置関係を求め、当該位置関係に従って前記第一アンテナの向きの変更方向を示す前記変更情報を生成するとしてもよい。
【００２６】
この構成により、例えば、第一アンテナおよび第二アンテナの相対的な位置関係を正確に求めることができる。
【００２７】
また、本発明の一態様に係る無線受信装置において、前記検出部は、前記第一機器から送信される信号の前記受信装置側アンテナに対する第一入射角および前記第二機器から送信される信号の前記受信装置側アンテナに対する第二入射角を、前記相対的な位置関係を示す情報として検出し、前記受信装置側アンテナは、前記第一入射角および前記第二入射角を示す情報を前記第一機器または前記第二機器に送信し、前記変更情報生成部は、前記情報を受信した前記第一機器または前記第二機器が、前記第一入射角および前記第二入射角の大小関係から求めた前記第一アンテナおよび前記第二アンテナの相対的な位置関係に従って前記第一アンテナの向きの変更方向を示す前記変更情報を生成するとしてもよい。
【００２８】
この構成により、例えば、無線受信装置の処理負荷を他に機器に分担させることができる。
【００２９】
また、本発明の一態様に係る無線受信装置において、前記通信状態取得部は、前記第一機器および前記第二機器の一方から他方への、ＷｉｒｅｌｅｓｓＨＤの規格に規定されるＨＲＰ（Ｈｉｇｈ−ｒａｔｅ  ｐｈｙｓｉｃａｌ  ｌａｙｅｒ）による映像信号または音声信号の伝送が可能であるか否かを示す通信状態情報を取得するとしてもよい。
【００３０】
この構成により、第一機器と第二機器との間におけるＷｉｒｅｌｅｓｓＨＤによる高品位なコンテンツの伝送のためのアンテナの設置が容易となる。
【００３１】
また、本発明の一態様に係る無線受信装置において、前記通信状態取得部はさらに、前記伝送が可能であることを示す通信状態情報を取得するまで、前記伝送が可能であるか否かを示す通信状態情報の取得を繰り返し、前記変更情報生成部はさらに、前記伝送が可能であることを示す通信状態情報が前記通信状態取得部によって取得されるまで、前記第一アンテナの伝送可能範囲が前記第二アンテナに近づく方向を示す変更情報の出力を繰り返すとしてもよい。
【００３２】
この構成により、例えば、第一アンテナまたは第二アンテナの一方から他方への映像信号または音声信号の伝送が可能となるまで、アンテナの設置支援を継続して行うことができる。
【００３３】
また、本発明の一態様に係る無線通信システムは、第一機器、第二機器、および無線受信装置を備える無線通信システムであって、前記第一機器は、前記第一機器と前記第二機器および前記無線受信装置のそれぞれとの間で信号の伝送をするための第一アンテナを有し、前記第二機器は、前記第二機器と前記第一機器および前記無線受信装置のそれぞれとの間で信号の伝送をするための第二アンテナを有し、前記無線受信装置は、第一機器および第二機器から、それぞれが有するアンテナを介して送信される信号を受信する受信装置側アンテナと、前記第一アンテナおよび前記第二アンテナの、前記受信装置側アンテナの位置を基準とした相対的な位置関係を示す情報を検出する検出部と、前記第一機器および前記第二機器の一方から他方への映像信号または音声信号の伝送が可能であるか否かを示す通信状態情報を前記第一機器または前記第二機器から取得する通信状態取得部と、前記通信状態取得部により取得された通信状態情報が、前記伝送が可能ではないことを示す場合、前記検出部による検出結果に基づいて、前記第一アンテナの向きの変更方向を示す変更情報であって、前記第一アンテナからの前記映像信号または前記音声信号の伝送が可能な範囲である伝送可能範囲が前記第二アンテナに近づく方向を示す変更情報を生成して出力する変更情報生成部とを有する。
【００３４】
また、本発明は、上記いずれかの態様に係る無線受信装置が備える構成要素それぞれによる処理を含むアンテナ設置支援方法として実現することもできる。
【００３５】
また、本発明は、本発明のアンテナ設置支援方法に含まれる各処理をコンピュータに実行させるためのプログラムとして実現することもできる。
【００３６】
また、そのプログラムをＤＶＤ（Ｄｉｇｉｔａｌ  Ｖｅｒｓａｔｉｌｅ  Ｄｉｓｃ）等の記録媒体やインターネット等の伝送媒体を介して広く流通させることもできる。
【００３７】
また、本発明の上記いずれかの態様にかかる無線受信装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されていてもよい。システムＬＳＩは、複数の構成部を１個のチップ上に集積して製造された超多機能ＬＳＩであり、具体的には、マイクロプロセッサ、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などを含むコンピュータシステムである。
【発明の効果】
【００３８】
本発明によれば、無線受信装置と通信する２つの機器間の信号の伝送が可能なように、当該伝送に使用されるアンテナの設置を支援するための無線受信装置、無線通信システム、およびアンテナ設置支援方法を提供することができる。
【００３９】
本発明によれば、例えば、無線受信装置であるテレビと、当該テレビと通信する２台のＡＶ機器とを設置する場合、２台のＡＶ機器の間で映像信号または音声信号の伝送ができるように、２台のＡＶ機器のうちの少なくとも一方のＡＶ機器のアンテナの向きの変更方向を示す変更情報が出力される。
【００４０】
これにより、例えばユーザは、アンテナの向きの変更方向を明瞭に知ることができ、アンテナの向きの適切な方向への変更を容易に行うことができる。また、例えば、アンテナを回転駆動する装置に変更情報を出力することで、アンテナの向きの自動調整が可能となる。
【００４１】
さらに、本発明によれば、無線受信装置および２台の機器の計３台を設置する場合に限らず、４台以上の機器を設置する場合においても、それぞれの機器が映像信号または音声信号を正常に送受信するためのアンテナの設置支援が実行される。
【図面の簡単な説明】
【００４２】
【図１】図１は、本発明の実施の形態に係るＡＶシステムの構成図である。
【図２】図２は、本発明の実施の形態に係るテレビの主要な機能構成を示すブロック図である。
【図３】図３は、本発明の実施の形態に係るカムコーダの主要な機能構成を示すブロック図である。
【図４】図４は、本発明の実施の形態に係るＢＤシステムの主要な機能構成を示すブロック図である。
【図５Ａ】図５Ａは、実施の形態におけるアンテナの設置支援に係る基本的な処理の流れを示すフロー図である。
【図５Ｂ】図５Ｂは、実施の形態のテレビが実行する、アンテナの設置支援に係る処理の流れの一例を示すフロー図である。
【図６】図６は、実施の形態のカムコーダおよびＢＤシステムが実行する、アンテナの設置支援に係る処理の流れの一例を示すフロー図である。
【図７】図７は、実施の形態における、ＷｉＨＤ−ＴＸの信号の伝送可能範囲およびＷｉＨＤ−ＲＸＴＸの信号の伝送可能範囲の一例を示す図である。
【図８】図８は、実施の形態における、ＷｉＨＤ通信の可否を示す情報の表示例を示す図である。
【図９】図９は、実施の形態における、ＷｉＨＤ通信の問題の詳細を示す情報の表示例を示す図である。
【図１０】図１０は、実施の形態における、２つの信号の入射角とアンテナの変更方向との関係を説明するための図である。
【図１１】図１１は、実施の形態における、ユーザにアンテナの向きの変更方向を教えるための情報の表示例を示す図である。
【図１２】図１２は、実施の形態における、ＷｉＨＤ−ＴＸの信号の伝送可能範囲およびＷｉＨＤ−ＲＸＴＸの信号の伝送可能範囲の別の一例を示す図である。
【図１３】図１３は、実施の形態における、ユーザに全ての機器間でＷｉＨＤによる通信が可能になったことを教えるための情報の表示例を示す図である。
【図１４】図１４は、実施の形態の変形例におけるＡＶシステムの構成図である。
【図１５】図１５は、実施の形態の変形例におけるテレビの主要な機能構成を示すブロック図である。
【発明を実施するための形態】
【００４３】
以下に、図面を参照しながら、本発明に係る画像処理装置の実施の形態について説明する。
【００４４】
図１は、本発明の実施の形態に係るＡＶシステム１００の構成図である。
【００４５】
ＡＶシステム１００は、本発明の無線通信システムの一例であり、図１に示すように、テレビ１０と、カムコーダ２０と、ＢＤシステム３０とを備える。
【００４６】
テレビ１０は、ＷｉＨＤ映像・音声受信アンテナであるＷｉＨＤ−ＲＸ１１を備える。カムコーダ２０は、ＷｉＨＤ映像・音声送信アンテナであるＷｉＨＤ−ＴＸ２１を備える。ＢＤシステム３０は、ＷｉＨＤ映像・音声送受信アンテナであるＷｉＨＤ−ＲＸＴＸ３１を備える。
【００４７】
なお、テレビ１０、カムコーダ２０、およびＢＤシステム３０のそれぞれは、本発明の無線受信装置、ならびに、無線受信装置の通信相手である第一機器および第二機器のいずれかとして動作する装置の一例である。
【００４８】
本実施の形態では、テレビ１０が無線受信装置として動作し、カムコーダ２０およびＢＤシステム３０の一方が第一機器として動作し、他方が第二機器として動作する場合を想定し、以下の説明を行う。
【００４９】
また、ＷｉＨＤ−ＲＸ１１は、本発明の無線受信装置における受信装置側アンテナの一例である。ＷｉＨＤ−ＴＸ２１は、本発明の無線受信装置の通信相手である第一機器が有する第一アンテナ、および、本発明の無線受信装置の通信相手である第二機器が有する第二アンテナのうちの一方の一例である。ＷｉＨＤ−ＲＸＴＸ３１は、前記第一アンテナおよび前記第二アンテナのうちの他方の一例である。
【００５０】
また、これらアンテナのそれぞれは、図１では、それぞれの機器本体の外部に接続されるものとして表現されているが、それぞれの機器本体に内蔵されていてもよい。
【００５１】
本実施の形態では、カムコーダ２０は、ＷｉＨＤ−ＴＸ２１を介して、テレビ１０に映像信号を送信するとともに、当該映像信号に対応する音声信号をＢＤシステム３０に送信する。
【００５２】
テレビ１０は、カムコーダ２０から受信する映像信号を再生し表示する。ＢＤシステム３０は、カムコーダ２０から受信する音声信号を、ＢＤシステム３０が有するアンプおよびスピーカを用いて再生し出力する。
【００５３】
また、ＢＤシステム３０は、ＢＤに記録されたＡＶコンテンツを再生する場合、ＷｉＨＤ−ＲＸＴＸ３１を介して当該ＡＶコンテンツの映像信号をテレビ１０に送信するとともに、当該ＡＶコンテンツの音声を自身が有するスピーカから出力する。
【００５４】
この場合、テレビ１０は、ＢＤシステム３０から受信する映像信号を再生し表示する。
【００５５】
図２は、本発明の実施の形態に係るテレビ１０の主要な機能構成を示すブロック図である。
【００５６】
テレビ１０は、ＷｉＨＤ−ＲＸ１１が有するアンテナ部１０６を介して受信したＷｉＨＤ信号、または、放送受信用アンテナ（図示せず）を介して受信した放送信号をデコードして、映像および音声を再生し出力する装置である。
【００５７】
テレビ１０は、ＷｉＨＤ−ＲＸ１１、記憶部１０５、デコーダ１０７、映像表示部１０８、音声出力部１０９、およびチューナ１１０を備える。
【００５８】
また、ＷｉＨＤ−ＲＸ１１は、アンテナ部１０６、信号合成部１０１、方向検出部１０２、制御信号送受信部１０３、および制御部１０４を有する。
【００５９】
アンテナ部１０６は複数のアンテナ素子を有し、ＨＲＰ信号を受信し、また、ＬＲＰ信号の送受信を行なう。映像・音声信号は、ＨＲＰ信号として伝送され、制御信号はＬＲＰ信号として送受信される。
【００６０】
なお、「信号が伝送される」という場合、２つの機器の少なくとも一方から他方への信号の送信が行われることを意味する。
【００６１】
信号合成部１０１は、アンテナ部１０６が受信したＷｉＨＤ信号のうち、映像・音声信号をデコーダ１０７に転送し、制御信号を制御信号送受信部１０３に転送する。
【００６２】
また、信号合成部１０１は、制御信号送受信部１０３からの制御信号をＷｉＨＤ信号へ変換して、アンテナ部１０６を介して送信する。
【００６３】
なお、本明細書において、「ＷｉＨＤ信号」は、ＷｉＨＤの規格に従いＨＲＰ信号またはＬＲＰ信号として送受信される信号の総称として用いている。
【００６４】
方向検出部１０２は、カムコーダ２０が有するＷｉＨＤ−ＴＸ２１、およびＢＤシステム３０が有するＷｉＨＤ−ＲＸＴＸ３１の、ＷｉＨＤ−ＲＸ１１を基準とした相対的な位置関係を示す情報を検出する処理部である。
【００６５】
具体的には、本実施の形態では、方向検出部１０２は、アンテナ部１０６が有する各アンテナ素子における信号の受信状況（複数のアンテナ素子間における受信信号の位相差など）から、受信した信号のＷｉＨＤ−ＲＸ１１に対する入射角度を検出する。つまり、上記の位置関係を示す情報として、ＷｉＨＤ−ＴＸ２１およびＷｉＨＤ−ＲＸＴＸ３１から送信される信号の入射角を検出する。さらに、検出結果を制御部１０４に通知する。
【００６６】
制御信号送受信部１０３は、信号合成部１０１を介して得られたＷｉＨＤの制御信号を制御部１０４に通知し、また、制御部１０４から指示された制御コマンドをＷｉＨＤの制御信号に変換して信号合成部１０１に通知する。
【００６７】
制御部１０４は、通信状態取得部１０４ａと変更情報生成部１０４ｂとを有する。
【００６８】
制御部１０４は、アンテナ部１０６、制御信号送受信部１０３、記憶部１０５、映像表示部１０８等を制御し、方向検出部１０２から得られる情報に基づいて、ユーザのアンテナ設置に対する支援を行なう処理部である。
【００６９】
制御部１０４が有する通信状態取得部１０４ａおよび変更情報生成部１０４ｂは、具体的には以下の処理を行う。
【００７０】
通信状態取得部１０４ａは、カムコーダ２０およびＢＤシステム３０の一方から他方への映像信号または音声信号の伝送が可能であるか否かを示す通信状態情報をカムコーダ２０またはＢＤシステム３０から取得する。
【００７１】
本実施の形態においては、通信状態取得部１０４ａは、カムコーダ２０からＢＤシステム３０への音声信号の伝送が可能か否かを示す通信状態情報を、カムコーダ２０またはＢＤシステム３０から取得する。また、通信状態情報はＬＲＰ信号としてカムコーダ２０から送信され、通信状態取得部１０４ａは、アンテナ部１０６を介して当該通信状態情報を取得する。
【００７２】
変更情報生成部１０４ｂは、通信状態取得部１０４ａにより取得された通信状態情報が、前記伝送が可能ではないことを示す場合、方向検出部１０２による検出結果に基づいて変更情報を生成する。
【００７３】
ここで、変更情報は、変更対象のアンテナ（ＷｉＨＤ−ＴＸ２１またはＷｉＨＤ−ＲＸＴＸ３１）の向きの変更方向を示す情報である。より具体的には、変更情報は、当該アンテナからの映像信号また音声信号の伝送が可能な範囲である伝送可能範囲が、ＷｉＨＤ−ＲＸ１１に近づく方向を示す情報である。
【００７４】
すなわち、変更情報生成部１０４ｂは、当該伝送が可能となるようにＷｉＨＤ−ＴＸ２１またはＷｉＨＤ−ＲＸＴＸ３１の向きを変更させるための変更情報を生成して出力する。
【００７５】
なお、制御部１０４により実行される各種の処理は、例えばＣＰＵ（Ｃｅｎｔｒａｌ  Ｐｒｏｃｅｓｓｉｎｇ  Ｕｎｉｔ）が所定のプログラムを実行することにより実現される。また、後述する他の機器の制御部（２０５および３０５）による各種の処理も、例えばＣＰＵが所定のプログラムを実行することにより実現される。
【００７６】
記憶部１０５は、テレビ１０とＷｉＨＤを介して通信を行なう各機器の情報を、制御部１０４を介して記憶する。
【００７７】
デコーダ１０７は、信号合成部１０１またはチューナ１１０から映像信号および音声信号を受信し、映像表示部１０８および音声出力部１０９にて再生できるようにデコードする。デコードにより得られた映像信号は映像表示部１０８に送信され、デコードにより得られた音声信号は音声出力部１０９に送信される。
【００７８】
映像表示部１０８は、ディスプレイパネルなどを有し、デコーダ１０７から得られた映像を表示する装置である。また、映像表示部１０８は、制御部１０４から指示された情報のオンスクリーン表示（ＯＳＤ）を行なうことができる。
【００７９】
音声出力部１０９は、アンプおよびスピーカ（図示せず）などを有し、デコーダ１０７から得られた音声を出力する装置である。
【００８０】
チューナ１１０は、放送受信用アンテナ（図示せず）を介して放送信号を受信し、映像・音声データをデコーダ１０７に送出する装置である。
【００８１】
なお、テレビ１０は、制御部１０４以外に、デコーダ１０７等の処理部を制御するＣＰＵ等を備えているが、本発明の特徴の明確化のために、それらの図示および説明は省略する。
【００８２】
図３は、本発明の実施の形態に係るカムコーダ２０の主要な機能構成を示すブロック図である。
【００８３】
カムコーダ２０は、映像・音声入力部２１０を介して入力される映像・音声信号を記録し、また、記録された映像・音声信号をデコードして、ＷｉＨＤ−ＴＸ２１が有するアンテナ部２０１を介してＷｉＨＤ信号として送信する機器である。
【００８４】
カムコーダ２０は、ＷｉＨＤ−ＴＸ２１、記憶部２０６、デコーダ２０７、映像・音声記憶部２０８、エンコーダ２０９、および映像・音声入力部２１０を備える。
【００８５】
また、ＷｉＨＤ−ＴＸ２１は、アンテナ部２０１、信号合成部２０２、制御信号送受信部２０４、および制御部２０５を有する。
【００８６】
アンテナ部２０１は、ＷｉＨＤにおけるＬＲＰ信号を受信し、受信した信号を信号合成部２０２に通知する。また、アンテナ部２０１は、信号合成部２０２からの信号をＨＲＰ信号または、ＬＲＰ信号として送信する。
【００８７】
具体的には、映像信号および音声信号は、ＨＲＰ信号として伝送され、制御信号はＬＲＰ信号として送受信される。
【００８８】
信号合成部２０２は、アンテナ部２０１が受信したＷｉＨＤ信号のうち、制御信号は制御信号送受信部２０４に転送する。また、デコーダ２０７からの映像・音声信号および、制御信号送受信部２０４からの制御信号をＷｉＨＤ信号へ変換して、アンテナ部２０１を介して送信する。
【００８９】
なお、上述のように、映像信号はテレビ１０に送信され、当該映像信号に対応する音声信号は、ＢＤシステム３０に送信される。
【００９０】
制御信号送受信部２０４は、信号合成部２０２を介して得られたＷｉＨＤの制御信号を制御部２０５に通知する。また、制御信号送受信部２０４は、制御部２０５から指示された制御コマンドをＷｉＨＤの制御信号に変換して信号合成部２０２に通知する。
【００９１】
制御部２０５は、所定のプログラムを実行することで各種の制御を行う処理部である。
【００９２】
記憶部２０６は、カムコーダ２０とＷｉＨＤ通信を行なう各機器の情報を、制御部２０５を介して記憶する。
【００９３】
デコーダ２０７は、映像・音声記憶部２０８から映像・音声信号を受信してデコードし、デコードにより得られた信号を信号合成部２０２に送信する。
【００９４】
映像・音声記憶部２０８は、記録時にはエンコーダ２０９が圧縮したデータを記憶し、再生時には該データをデコーダ２０７に送信する。映像・音声記憶部２０８は、ハードディスクまたは、フラッシュメモリなどにより構成される。
【００９５】
エンコーダ２０９は、映像・音声入力部２１０から得られた映像・音声信号を映像・音声記憶部２０８に記憶できるようにＭＰＥＧ４などの圧縮データに変換する。
【００９６】
映像・音声入力部２１０は、カメラおよびマイク（図示せず）から入力された映像信号・音声信号をエンコーダ２０９に送出する。
【００９７】
なお、カムコーダ２０は、制御部２０５以外に、デコーダ２０７等の処理部を制御するＣＰＵ等を備えているが、本発明の特徴の明確化のために、それらの図示および説明は省略する。
【００９８】
図４は、本発明の実施の形態に係るＢＤシステム３０の主要な機能構成を示すブロック図である。
【００９９】
ＢＤシステム３０は、ＷｉＨＤ−ＲＸＴＸ３１が有するアンテナ部３０１を介して受信したＷｉＨＤ信号のうち音声信号を再生しスピーカから出力する機能を備える機器である。ＢＤシステム３０はさらに、映像・音声入力部３１０を介して入力された映像・音声データデコードして、アンテナ部３０１を介してＷｉＨＤ信号として送信する機能も備えている。
【０１００】
ＢＤシステム３０は、ＷｉＨＤ−ＲＸＴＸ３１、記憶部３０６、デコーダ３０８、音声出力部３０９、および映像・音声入力部３１０を備える。
【０１０１】
ＷｉＨＤ−ＲＸＴＸ３１は、アンテナ部３０１、信号合成部３０２、方向検出部３０３、制御信号送受信部３０４、および制御部３０５を有する。
【０１０２】
アンテナ部３０１は、複数のアンテナ素子を有し、ＷｉＨＤにおけるＨＲＰ信号およびＬＲＰ信号を受信し、受信した信号を信号合成部３０２に通知する。また、アンテナ部３０１は、信号合成部３０２から得られる信号をＨＲＰ信号またはＬＲＰ信号として送信する。
【０１０３】
信号合成部３０２は、アンテナ部３０１が受信したＷｉＨＤ信号のうち、音声信号を音声出力部３０９に送信し、制御信号を制御信号送受信部３０４に送信する。
【０１０４】
また、信号合成部３０２は、デコーダ３０８からの映像信号および、制御信号送受信部３０４からの制御信号をＷｉＨＤ信号へ変換して、アンテナ部３０１を介して送信する。
【０１０５】
方向検出部３０３は、アンテナ部３０１が有する各アンテナ素子における信号の受信状況から、受信した信号のＷｉＨＤ−ＲＸＴＸ３１に対する入射角度を検出し、制御部３０５に通知する。
【０１０６】
制御信号送受信部３０４は、信号合成部３０２を介して得られたＷｉＨＤの制御信号を制御部３０５に通知し、また、制御部３０５から指示された制御コマンドをＷｉＨＤの制御信号に変換して信号合成部３０２に通知する。
【０１０７】
制御部３０５は、所定のプログラムを実行することで各種の制御を行う処理部である。
【０１０８】
記憶部３０６は、ＢＤシステム３０とＷｉＨＤ通信を行なう各機器の情報を、制御部３０５を介して記憶する。
【０１０９】
デコーダ３０８は、映像・音声入力部３１０から音声信号を受信し、音声出力部３０９にて再生できるようにデコードする。デコードにより得られた音声信号は音声出力部３０９に送信される。
【０１１０】
また、デコーダ３０８は、映像・音声入力部３１０から映像信号を受信し、テレビ１０にて再生できるようにデコードする。デコードにより得られた映像信号は、信号合成部３０２に送信され、アンテナ部３０１を介してＨＲＰ信号としてテレビ１０へ送信される。
【０１１１】
音声出力部３０９は、デコーダ３０８および信号合成部３０２から得られた音声を出力する装置であり、アンプ（図示せず）およびスピーカ（図１参照）などを有する。
【０１１２】
映像・音声入力部３１０は、ハードディスク、ＤＶＤ（Ｄｉｇｉｔａｌ  Ｖｅｒｓａｔｉｌｅ  Ｄｉｓｃ）／ＢＤドライブ（図示せず）などを有し、ＢＤ等の記録媒体から映像・音声信号を取得し、デコーダ３０８に送信する。
【０１１３】
なお、ＢＤシステム３０は、制御部３０５以外に、デコーダ３０８等の処理部を制御するＣＰＵ等を備えているが、本発明の特徴の明確化のために、それらの図示および説明は省略する。
【０１１４】
以上のように構成されたＡＶシステム１００において、テレビ１０がアンテナの設置支援に係る処理を行う際の、テレビ１０等の各機器の動作を以下に説明する。
【０１１５】
まず、図５Ａを用いて、テレビ１０が実行するアンテナの設置支援に係る基本的な処理の流れを説明する。
【０１１６】
図５Ａは、実施の形態におけるアンテナの設置支援に係る基本的な処理の流れを示すフロー図である。
【０１１７】
テレビ１０が備える方向検出部１０２は、第一アンテナおよび第二アンテナの、ＷｉＨＤ−ＲＸ１１の位置を基準とした相対的な位置関係を示す情報を検出する（Ｓ１０）。
【０１１８】
本実施の形態では、第一アンテナおよび第二アンテナの一方が、ＷｉＨＤ−ＴＸ２１であり、他方がＷｉＨＤ−ＲＸＴＸ３１である。
【０１１９】
テレビ１０が備える通信状態取得部１０４ａは、第一機器および前記第二機器の一方から他方への映像信号または音声信号の伝送が可能であるか否かを示す通信状態情報を第一機器または第二機器から取得する（Ｓ２０）。
【０１２０】
具体的には、カムコーダ２０およびＢＤシステム３０の一方から他方への、ＨＲＰ信号の伝送が可能であるか否かを示す通信状態情報が、通信状態取得部１０４ａによって取得される。
【０１２１】
テレビ１０が備える変更情報生成部１０４ｂは、通信状態情報が、当該伝送が可能ではないことを示す場合、上記の検出結果に基づいて、第一アンテナの向きの変更方向を示す変更情報を生成して出力する（Ｓ３０）。
【０１２２】
例えば、カムコーダ２０からＢＤシステム３０へのＨＲＰ信号の伝送が可能ではない場合、ＷｉＨＤ−ＴＸ２１からのＨＲＰ信号の伝送可能範囲がＷｉＨＤ−ＲＸＴＸ３１に近づく方向を示す変更情報が生成され、出力される。
【０１２３】
次に、実施の形態におけるアンテナの設置支援に係る処理の流れの具体的を、図５Ｂ等を用いて説明する。
【０１２４】
図５Ｂは、実施の形態のテレビ１０が実行する、アンテナの設置支援に係る処理の流れの一例を示すフロー図である。
【０１２５】
図６は、実施の形態のカムコーダ２０およびＢＤシステム３０が実行する、アンテナの設置支援に係る処理の流れの一例を示すフロー図である。
【０１２６】
図５Ｂおよび図６を用い、後述する図７〜図１３を参照しながら、テレビ１０、カムコーダ２０およびＢＤシステム３０の処理の流れを説明する。
【０１２７】
テレビ１０、カムコーダ２０、およびＢＤシステム３０のそれぞれは、電源が入って、ＷｉＨＤ機能が有効になると、ＷｉＨＤで通信可能な機器（図５Ｂおよび図６における「ＷｉＨＤネットワーク機器」）を確認する。その結果、通信可能な範囲内にＷｉＨＤで通信可能な機器を発見すると、自機に備えられた制御信号送受信部（１０３、２０４、または３０４）を介して制御信号の送受信を行ない、各機器に制御信号を送信するために各機器のアドレスを取得する（図５ＢのＳ１０１、図６のＳ２０１）。
【０１２８】
さらに、テレビ１０、カムコーダ２０、およびＢＤシステム３０のそれぞれは、ＷｉＨＤを介して、自機が映像・音声のＨＲＰ送信機能（ＴＸ機能）を有しているのか否か、および、受信機能（ＲＸ機能）を有しているのか否かを示す機器情報を他の機器に通知する。
【０１２９】
本実施の形態では、テレビ１０はＲＸ機能を有しており、カムコーダ２０はＴＸ機能を有しており、ＢＤシステム３０はＴＸ機能とＲＸ機能の両方を有している。なお、ＷｉＨＤにおける制御信号は、各機器のアンテナ部（１０６、２０１、および３０１）を介してＬＲＰ信号として送受信される。
【０１３０】
カムコーダ２０およびＢＤシステム３０は、ＷｉＨＤの制御信号により検出された、全てのＲＸ機能を有している機器に対して、ＨＲＰ信号によるデータの伝送（ＨＲＰ伝送）が可能であるかの確認を行なう。本実施の形態では、カムコーダ２０は、テレビ１０およびＢＤシステム３０に対して、アンテナ部２０１を介してテストのためのＨＲＰ伝送を開始する。
【０１３１】
カムコーダ２０は、このＨＲＰ伝送の際は、送信前にテスト用のＨＲＰ伝送を行うことを示す制御信号を送信する。なお、カムコーダ２０が送信していることを示す情報が当該制御信号を含む送信パケットに含められている。
【０１３２】
また、ＢＤシステム３０も同様に、全てのＲＸ機能を有している機器に対して、ＨＲＰ伝送が可能であるかの確認を行なうために、アンテナ部３０１を介してテスト用のＨＲＰ伝送を行う。ただし、ＢＤシステム３０は、ＴＸ機能とＲＸ機能の両方を有しているが、ＢＤシステム３０のＲＸ機能へのＨＲＰ送信は行なわない。つまり、本実施の形態においてはテレビ１０に対してのみテスト用のＨＲＰ伝送を行う。
【０１３３】
ＲＸ機能を有するテレビ１０およびＢＤシステム３０は、各々のアンテナ部（１０６、３０１）にて、前記ＴＸ機能を有している機器が送信するＨＲＰ信号を受信できたか否かを確認する。
【０１３４】
受信できた場合は、受信した信号の入射角を方向検出部（１０２、３０３）にて検出し、制御部（１０４、３０５）に通知する。
【０１３５】
また、それぞれの制御部（１０４、３０５）は、受信したＨＲＰ信号の送信元機器の情報と、信号の入射角をセットにして、記憶部（１０５、３０６）に記憶する。また、受信に成功したか否かを、送信元機器に制御信号にて通知する。
【０１３６】
カムコーダ２０およびＢＤシステム３０は、ＲＸ機能を有する全ての機器から、受信に成功したか否かを示す制御信号を受信すると、各々の機器からのＨＲＰ伝送の可否をテレビ１０へ制御信号を介して通知する（図６のＳ２０２）。
【０１３７】
例えば、カムコーダ２０は、ＢＤシステム３０に対するＨＲＰ伝送が可能であるか否かを示す通信状態情報をＬＲＰ信号でテレビ１０に送信する。
【０１３８】
テレビ１０は、Ｓ２０２においてカムコーダ２０およびＢＤシステム３０のそれぞれからＬＲＰ信号により送信された通信状態情報を受信する。これにより、通信状態取得部１０４ａは、当該通信状態情報を取得し、記憶部１０５に記憶させる（図５ＢのＳ１０２）。
【０１３９】
図７は、実施の形態における、ＷｉＨＤ−ＴＸ２１の信号の伝送可能範囲およびＷｉＨＤ−ＲＸＴＸ３１の信号の伝送可能範囲の一例を示す図である。
【０１４０】
例えば、図７に示すように各アンテナ（１１、２１、および３１）が設置された場合を想定する。この場合、ＷｉＨＤ−ＴＸ２１のＨＲＰ信号の伝送可能範囲２１００内、およびＷｉＨＤ−ＲＸＴＸ３１のＨＲＰ信号の伝送可能範囲３１００内の双方に、テレビ１０のＷｉＨＤ−ＲＸ１１が存在する。
【０１４１】
なお、これらアンテナのそれぞれにはＨＲＰ信号の受信範囲も定められている。そのため、例えばテレビ１０がカムコーダ２０およびＢＤシステム３０の双方からＨＲＰ信号を受信するためには、ＷｉＨＤ−ＲＸ１１の受信範囲内に、ＷｉＨＤ−ＴＸ２１およびＷｉＨＤ−ＲＸＴＸ３１それぞれの少なくとも一部が存在しているという条件を満たす必要があるが、本実施の形態においては、当該条件を満たしていることを前提とする。
【０１４２】
従って、カムコーダ２０からテレビ１０へのＨＲＰ伝送、および、ＢＤシステム３０からテレビ１０へのＨＲＰ伝送は可能である。
【０１４３】
しかし、ＷｉＨＤ−ＴＸ２１のＨＲＰ信号の伝送可能範囲２１００内に、ＷｉＨＤ−ＲＸＴＸ３１が位置していない。そのため、カムコーダ２０からＢＤシステム３０へのＨＲＰ伝送は不可能な状態である。
【０１４４】
この場合、各機器は次のように通信状態を検出する。
【０１４５】
テレビ１０は、カムコーダ２０および、ＢＤシステム３０から送信されるＨＲＰ信号の受信が可能である。
【０１４６】
そこで、テレビ１０の方向検出部１０２は、カムコーダ２０から送信される信号の入射角を角度Ｂとして検出し、ＢＤシステム３０から送信される信号の入射角を角度Ｃとして検出する。
【０１４７】
これら角度Ｂおよび角度Ｃは、本発明の無線受信装置が検出する、第一アンテナおよび第二アンテナの、前記受信装置側アンテナの位置を基準とした相対的な位置関係を示す情報の一例である。
【０１４８】
なお、角度Ｂおよび角度Ｃは、図７に示すＷｉＨＤ−ＲＸ１１から延びる法線１０００を基準とし右回りを正とする角度である。つまり、角度Ｂは正の値であり、角度Ｃは負の値である。
【０１４９】
カムコーダ２０は、テレビ１０へのＨＲＰ伝送は可能であるが、ＢＤシステム３０へのＨＲＰ伝送は不可能であることを検出し、その旨を示す通信状態情報をＬＲＰ信号でテレビ１０に送信する。
【０１５０】
ＢＤシステム３０は、テレビ１０へのＨＲＰ伝送が可能であるが、カムコーダ２０からのＨＲＰ信号の受信は不可能であると検出し、その旨を示す通信状態情報をＬＲＰ信号でテレビ１０に送信する。
【０１５１】
テレビ１０の制御部１０４は、このようにして受信した通信状態情報に基づいて、各機器のＷｉＨＤ通信に問題があるか否かを、映像表示部１０８にＯＳＤするように指示する。これにより、各機器におけるＷｉＨＤ通信の可否を示す情報がテレビ１０に表示される（図５ＢのＳ１０３）。
【０１５２】
なお、カムコーダ２０とＢＤシステム３０との間のＷｉＨＤ通信の可否は、いずれか一方から送信される通信状態情報によって判断可能である。
【０１５３】
図８は、実施の形態におけるＷｉＨＤ通信の可否を示す情報の表示例を示す図である。
【０１５４】
図８では、ＢＤシステム３０にはＷｉＨＤ通信についての問題は発生していないが、カムコーダ２０にはＷｉＨＤ通信についての問題が発生していることが示されている。
【０１５５】
このように、ＡＶシステム１００において、全ての機器間でＷｉＨＤ通信が可能であるという状態ではない場合（図５ＢのＳ１０４でＮＯ）、例えばユーザによるテレビ１０に対する所定の操作により、図９に示すように、当該問題の詳細が表示される（図５ＢのＳ１０５）。
【０１５６】
図９は、実施の形態におけるＷｉＨＤ通信の問題の詳細を示す情報の表示例を示す図である。
【０１５７】
本例の場合、上述のように、各アンテナ（１１、２１、および３１）が図７に示すように配置されている。そのため、図９に示すように、カムコーダ２０からテレビ１０へのＨＲＰ伝送は問題がないが、カムコーダ２０からＢＤシステム３０へのＨＲＰ伝送が不可能であることが示されている。
【０１５８】
なお、全ての機器間でＷｉＨＤ通信が可能であるという状態である場合（図５ＢのＳ１０４でＹＥＳ）、アンテナ設置支援に係る処理は終了する。
【０１５９】
テレビ１０の制御部１０４は、問題が発生している機器からのＨＲＰ信号の入射角Ｂと、当該機器の送信相手の機器からのＨＲＰ信号の入射角Ｃとを、記憶部１０５から取得する（図５ＢのＳ１０６）。
【０１６０】
本例では、カムコーダ２０からのＷｉＨＤ信号の入射角Ｂおよび、ＢＤシステム３０からのＷｉＨＤ信号の入射角Ｃを取得する。
【０１６１】
制御部１０４の変更情報生成部１０４ｂは、入射角Ｂおよび入射角Ｃから、問題が発生しているカムコーダ２０のアンテナ（ＷｉＨＤ−ＴＸ２１）の向きの変更方向を算出する（図５ＢのＳ１０７）。例えば、入射角Ｂ−入射角Ｃ＞０の場合は、右回転を示す変更情報を生成し、入射角Ｂ−入射角Ｃ＜０の場合には、左回転を示す変更情報を生成する。
【０１６２】
図１０は、２つの信号の入射角とアンテナの変更方向との関係を説明するための図である。
【０１６３】
図１０に示すように、テレビ１０のアンテナ（ＷｉＨＤ−ＲＸ１１）の法線を基準（０°）とし、右回りを正とすると、入射角Ｂ＞０であり、入射角Ｃ＜０である。従って、入射角Ｂ−入射角Ｃ＞０であり、カムコーダ２０およびＢＤシステム３０の相対的な位置関係、すなわち、ＷｉＨＤ−ＴＸ２１およびＷｉＨＤ−ＲＸＴＸ３１のＷｉＨＤ−ＲＸ１１を基準とした相対的な位置関係は、テレビ１０から見てＷｉＨＤ−ＴＸ２１がＷｉＨＤ−ＲＸＴＸ３１の右側に位置する関係であると判断できる。
【０１６４】
従って、カムコーダ２０からＢＤシステム３０へのＨＲＰ信号の伝送を可能とするためには、ＷｉＨＤ−ＴＸ２１のＨＲＰ信号の伝送可能範囲２１００内に、ＷｉＨＤ−ＲＸＴＸ３１を位置させるように、ＷｉＨＤ−ＴＸ２１を、テレビ１０に向かって右方向に回転させるべきであることが分かる。
【０１６５】
そこで、変更情報生成部１０４ｂは、カムコーダ２０のＷｉＨＤ−ＴＸ２１の向きを変更させるための変更情報を生成し出力する（図５ＢのＳ１０８）。変更情報生成部１０４ｂは、具体的には、ＷｉＨＤ−ＴＸ２１の伝送可能範囲２１００がＷｉＨＤ−ＲＸＴＸ３１に近づく方向を示す変更情報を生成し出力する。
【０１６６】
本実施の形態において、変更情報生成部１０４ｂは、ＷｉＨＤ−ＴＸ２１をユーザに右方向に回転させるための指示を変更情報として生成し、映像表示部１０８に表示させる。
【０１６７】
図１１は、ユーザにアンテナの向きの変更方向を教えるための情報の表示例を示す図である。
【０１６８】
ユーザは、例えば図１１に示す表示内容を見ることで、カムコーダ２０のアンテナ（ＷｉＨＤ−ＴＸ２１）を右方向に回転させればよいことが分かる。
【０１６９】
この表示内容を見たユーザが当該アンテナの向きを調整している間、テレビ１０では、各機器からの通信状態情報の取得（図５ＢのＳ１０２）から、変更情報の出力（図５ＢのＳ１０８）までの処理が、全ての機器が通信可能になるまで繰り返される。
【０１７０】
例えば、０．５秒ごとに上記処理を繰り返し、図１１等に示すＯＳＤ表示が更新される。
【０１７１】
さらに、本例において、ユーザがＷｉＨＤ−ＴＸ２１の向きを変更したことにより、カムコーダ２０からＢＤシステム３０へのＨＲＰ信号の伝送が可能になった場合つまり、全ての機器間でＷｉＨＤ通信が可能な状態になった場合、テレビ１０の制御部１０４は、その旨を映像表示部１０８にＯＳＤ表示させ、ユーザに通知する。
【０１７２】
図１２は、実施の形態における、ＷｉＨＤ−ＴＸ２１の伝送可能範囲およびＷｉＨＤ−ＲＸＴＸ３１の伝送可能範囲の別の一例を示す図である。
【０１７３】
このように、ＷｉＨＤ−ＴＸ２１の向きがユーザにより右方向に変更される。これにより、ＷｉＨＤ−ＴＸ２１のＨＲＰ信号の伝送可能範囲２１００に、ＷｉＨＤ−ＲＸＴＸ３１の一部が含まれることになる。その結果、カムコーダ２０からＢＤシステム３０へのＨＲＰ信号の伝送が可能となる。
【０１７４】
なお、図１２に示す状態では、ＷｉＨＤ−ＲＸＴＸ３１のＨＲＰ信号の受信可能範囲内にＷｉＨＤ−ＴＸ２１が位置しているものとする。
【０１７５】
このように、カムコーダ２０からＢＤシステム３０へのＨＲＰ信号の伝送が可能になると、テレビ１０の通信状態取得部１０４ａは、当該伝送が可能になったことを示す通信状態情報を、カムコーダ２０およびＢＤシステム３０の少なくとも一方から受け取る。
【０１７６】
通信状態取得部１０４ａはさらに、全ての機器間でＷｉＨＤによる通信が可能になった旨を変更情報生成部１０４ｂに通知する。
【０１７７】
変更情報生成部１０４ｂは、この通知を受け取ると、映像表示部１０８に例えば、図１３に示すような情報をＯＳＤ表示させる。
【０１７８】
図１３は、ユーザに全ての機器間でＷｉＨＤによる通信が可能になったことを教えるための情報の表示例を示す図である。
【０１７９】
このような情報が表示されると、所定の時間の経過後、または、ユーザによるテレビ１０に対する所定の操作により、当該表示は消える。その後、ユーザは、例えば、カムコーダ２０に記録されたＡＶコンテンツの映像をテレビ１０に表示させながら、当該ＡＶコンテンツの音声をＢＤシステム３０のスピーカから出力させることができる。
【０１８０】
このように、本実施の形態のテレビ１０によれば、テレビ１０と通信する複数の機器間でＷｉＨＤ信号を伝送する場合において、ユーザは、当該伝送に用いられるアンテナを、容易に適切な向きで設置することができる。
【０１８１】
なお、本実施の形態において、方向検出部１０２は、２つの機器から送信された信号の、ＷｉＨＤ−ＲＸ１１に対する入射角を検出し、変更情報生成部１０４ｂは、これら入射角の大小関係から、２つのアンテナ（ＷｉＨＤ−ＴＸ２１およびＷｉＨＤ−ＲＸＴＸ３１）のＷｉＨＤ−ＲＸ１１を基準とした相対的な位置関係を求め、その結果を含む変更情報を生成している。
【０１８２】
また、これら入射角は、ＷｉＨＤ−ＲＸ１１から伸びる法線を基準とする角度である。しかしながら、入射角は当該法線を基準としなくてもよい。要するに、複数の入射角の大小関係が判断できれば、基準となる線は、ＷｉＨＤ−ＲＸ１１からどのような方向に伸びていてもよい。
【０１８３】
また、２つのアンテナの相対的な位置関係は、これらアンテナからの信号の入射角の大小関係以外から求められてもよい。例えば、カムコーダ２０から送信された信号をアンテナ部１０６が有する複数のアンテナ素子が受信した際に、これら複数のアンテナ素子間における受信信号の位相差から、当該受信信号がＷｉＨＤ−ＲＸ１１から見て左右のどちらから送信されたかを判定する。つまり、ＷｉＨＤ−ＴＸ２１がＷｉＨＤ−ＲＸ１１から見て左右のどちらに存在するかを判定する。
【０１８４】
さらに、ＢＤシステム３０のＷｉＨＤ−ＲＸＴＸ３１についても、ＷｉＨＤ−ＲＸ１１から見て左右のどちらに存在するかを判定する。
【０１８５】
これらの判定の結果、２つのアンテナのうち、いずれか一方が右で他方が左であれば、これら２つのアンテナの相対的な位置関係は判明する。
【０１８６】
なお、２つのアンテナの双方が、ＷｉＨＤ−ＲＸ１１から見て右または左に存在すると判定された場合は、上述の実施の形態と同じく、それぞれの入射角を検出し、それら入射角の大小関係から２つのアンテナの相対的な位置関係を求めればよい。
【０１８７】
また、例えば、２つのアンテナから送信される赤外線または音波等のＷｉＨＤ−ＲＸ１１に対する入射角、もしくは、ＧＰＳ（Ｇｌｏｂａｌ  Ｐｏｓｉｔｉｏｎｉｎｇ  Ｓｙｓｔｅｍ）により取得されたこれら２つのアンテナの絶対的な位置を示す情報などから、これら２つのアンテナの相対的な位置関係を求めてもよい。
【０１８８】
また、例えばＷｉＨＤ−ＲＸ１１の位置から撮像された映像を処理することで、これら２つのアンテナの相対的な位置関係を求めてもよい。
【０１８９】
また、変更情報生成部１０４ｂではなく、方向検出部１０２が、これら２つのアンテナの相対的な位置関係の算出までを行ってもよい。この場合、変更情報生成部１０４ｂは、その算出結果を取得して当該算出結果を含む変更情報を生成すればよい。
【０１９０】
また、テレビ１０以外の機器が変更方向の算出を行ってもよい。例えば、カムコーダ２０またはＢＤシステム３０が入射角Ｂおよび入射角Ｃ（図７参照）を示す情報をテレビ１０からＬＲＰ信号で受信し、当該情報を用いて変更方向を算出してもよい。この場合、変更情報生成部１０４ｂは、カムコーダ２０またはＢＤシステム３０から受信した変更方向を示す変更情報を生成すればよい。
【０１９１】
つまり、変更情報生成部１０４ｂは、ＷｉＨＤ−ＴＸ２１およびＷｉＨＤ−ＲＸＴＸ３１の、ＷｉＨＤ−ＲＸ１１の位置を基準とした相対的な位置関係を示す検出結果に基づいて変更情報を生成すればよく、当該検出結果に対する演算等の途中の処理は他の機器が行ってもよい。
【０１９２】
また、本実施の形態において、カムコーダ２０からＢＤシステム３０へのＨＲＰ信号の伝送が不可能な場合、変更情報生成部１０４ｂは、カムコーダ２０のアンテナ（ＷｉＨＤ−ＴＸ２１）の向きを変更させるための変更情報を生成するとした。
【０１９３】
しかしながら、ＷｉＨＤ−ＲＸＴＸ３１の向きを変更させることで、ＷｉＨＤ−ＲＸＴＸ３１の少なくとも一部が、ＷｉＨＤ−ＴＸ２１の伝送可能範囲２１００内に位置することも考えられる。そのため、変更情報生成部１０４ｂは、ＢＤシステム３０のアンテナＷｉＨＤ−ＲＸＴＸ３１の向きを変更させるための変更情報を生成してもよい。
【０１９４】
また、双方のアンテナの向きを変更させるための変更情報を生成してもよい。つまり、２つの機器の一方から他方への信号の伝送を行わせる場合、少なくともいずれか一方のアンテナの向きを変更させるための変更情報を生成し出力することで、当該伝送に用いられるアンテナの設置を容易化することができる。
【０１９５】
また、本実施の形態では、図１１に示されるように、変更情報に示される変更方向を映像としてユーザに提示している。
【０１９６】
しかしながら、変更方向をユーザに提示する方法は、これに限られず、音声、光の点滅、または、物体の振動などを介して、変更方向をユーザに提示してもよい。さらに、これらを組み合わせて変更方向をユーザに提示してもよい。
【０１９７】
また、本実施の形態では、テレビ１０、カムコーダ２０、およびＢＤシステム３０のそれぞれの間における無線伝送方式としてＷｉＨＤが採用されている。しかしながら、他の無線伝送方式が採用されてもよい。
【０１９８】
例えば、２．４ＧＨｚ帯や５ＧＨｚ帯の電波を用いたＩＥＥＥ８０２．１１で規定された無線伝送方式など、ミリ波帯の電波を用いた無線伝送方式が採用されてもよい。
【０１９９】
すなわち、ミリ波帯の電波など指向性が高い電波が無線伝送に用いられる場合、従来であればユーザによるアンテナ設置には困難が伴うが、本実施の形態のテレビ１０であれば、ユーザによるアンテナの設置を適切に支援することができる。
【０２００】
（実施の形態の変形例）
以上説明した本実施の形態において、変更情報生成部１０４ｂは、例えば図１１に示すような表示内容を含む変更情報を生成し、映像表示部１０８に表示させている。これにより、ユーザによるアンテナの向きの適切な方向への変更を支援している。
【０２０１】
しかしながら、変更対象のアンテナが、例えばモータ等を有する回転駆動部により回転させることが可能な場合、変更情報生成部１０４ｂは、当該回転駆動部に変更情報を送信してもよい。
【０２０２】
つまり、ユーザにアンテナの向きを変更させるのではなく、自動的にアンテナの向きを変更させてもよい。
【０２０３】
図１４は、実施の形態の変形例におけるＡＶシステム１５０の構成図である。
【０２０４】
図１５は、実施の形態の変形例におけるテレビ１０の主要な機能構成を示すブロック図である。
【０２０５】
ＡＶシステム１５０は、本発明の無線通信システムの別の一例である。ＡＶシステム１５０においては、図１４に示すように、カムコーダ２０のＷｉＨＤ−ＴＸ２１は回転駆動部２２により回転可能に支持されている。回転駆動部２２は、例えばステップモータを有し、指示された角度だけＷｉＨＤ−ＴＸ２１を回転させることができる。
【０２０６】
また、図１５に示すように、実施の形態の変形例における制御部１０４は、変更情報生成部１０４ｂにより生成された変更情報を回転駆動部２２に送信している。
【０２０７】
なお、この変更情報は、例えば、図７に示す入射角Ｂおよび入射角Ｃを用いて算出された、ＷｉＨＤ−ＴＸ２１を回転させるべき方向および回転角を示す情報等が含まれている。また、変更情報は、ＬＲＰ信号で、ＷｉＨＤ−ＴＸ２１に送信され、回転駆動部２２はＷｉＨＤ−ＴＸ２１を介して当該変更情報を受け取ることができる。
【０２０８】
この回転角は、例えば、入射角Ｂおよび入射角Ｃから推定される値であり、当該変更情報を受け取った回転駆動部２２は、当該回転角だけＷｉＨＤ−ＴＸ２１を回転させる。
【０２０９】
その後、テレビ１０では、カムコーダ２０から、ＢＤシステム３０に対するＨＲＰ信号の伝送が可能か否かを示す通信状態情報を受け取り、伝送可能であれば、ＷｉＨＤ−ＴＸ２１の向きを変更させるための処理を終了する。
【０２１０】
また、当該通信状態情報が、伝送可能でないことを示す場合、変更情報生成部１０４ｂは、当該伝送が可能となるまで、予め決定された角度（例えば５°）だけさらに回転させる指示を含む変更情報を生成し、回転駆動部２２に送信することを繰り返す。
【０２１１】
なお、最初の変更情報に、入射角Ｂおよび入射角Ｃから推定される回転角に代えて、予め決定された角度（例えば５°）を含んでいてもよい。この場合であっても、カムコーダ２０から、ＢＤシステム３０に対するＨＲＰ信号の伝送が可能か否かの確認と、伝送が可能でない場合の変更情報の再送信とを繰り返すことで、当該伝送を可能とすることができる。
【０２１２】
また、変更情報生成部１０４ｂは、ＷｉＨＤ−ＴＸ２１を回転させるための変更情報を回転駆動部２２に出力し、かつ、ＷｉＨＤ−ＴＸ２１の向きの調整のためにＷｉＨＤ−ＴＸ２１を回転させることをユーザに提示するための変更情報を映像表示部１０８に出力してもよい。
【０２１３】
これにより、自動的な制御によってＷｉＨＤ−ＴＸ２１が回転していることをユーザに明示的に教えることができる。
【０２１４】
また、テレビ１０は、ＷｉＨＤ−ＴＸ２１に代えて、または、ＷｉＨＤ−ＴＸ２１に加えて、ＷｉＨＤ−ＲＸＴＸ３１を自動的に回転させるように、変更情報を生成し出力してもよい。
【産業上の利用可能性】
【０２１５】
本発明は、通信機能を有する複数のＡＶ機器を備える無線通信システムにおいて、ユーザがこれら機器を設置する際に、これら機器のアンテナを適切な方向を向けて設置するための装置および方法として有用である。従って、複数のＡＶ機器を備える無線通信システム、および無線通信システムに含まれる無線受信装置等として有用である。
【符号の説明】
【０２１６】
１０    テレビ
１１    ＷｉＨＤ−ＲＸ
２０    カムコーダ
２１    ＷｉＨＤ−ＴＸ
２２    回転駆動部
３０    ＢＤシステム
３１    ＷｉＨＤ−ＲＸＴＸ
１００、１５０    ＡＶシステム
１０１、２０２、３０２    信号合成部
１０２、３０３    方向検出部
１０３、２０４、３０４    制御信号送受信部
１０４、２０５、３０５    制御部
１０４ａ  通信状態取得部
１０４ｂ  変更情報生成部
１０５、２０６、３０６    記憶部
１０６、２０１、３０１    アンテナ部
１０７、２０７、３０８    デコーダ
１０８    映像表示部
１０９、３０９    音声出力部
１１０    チューナ
２０８    映像・音声記憶部
２０９    エンコーダ
２１０、３１０    映像・音声入力部
【図１】
0005460729.tif 000002
【図２】
0005460729.tif 000003
【図３】
0005460729.tif 000004
【図４】
0005460729.tif 000005
【図５Ａ】
0005460729.tif 000006
【図５Ｂ】
0005460729.tif 000007
【図６】
0005460729.tif 000008
【図７】
0005460729.tif 000009
【図８】
0005460729.tif 000010
【図９】
0005460729.tif 000011
【図１０】
0005460729.tif 000012
【図１１】
0005460729.tif 000013
【図１２】
0005460729.tif 000014
【図１３】
0005460729.tif 000015
【図１４】
0005460729.tif 000016
【図１５】
0005460729.tif 000017